(57)【特許請求の範囲】
【請求項１】
情報を複数種類の光ディスクに記録する情報記録装置において、
前記光ディスクの種類に応じて、異常により記録を中断したときの前記光ディスクへの記録再開条件を変える手段を有し、
前記光ディスクは前記情報を、アドレス付加された所定の記録単位毎に記録する書換え可能な光ディスクと書換え不可能な光ディスクであり、
前記記録再開条件は記録再開位置条件であり、
前記光ディスクが書換え可能な光ディスクである場合の記録再開位置は、記録の中断がおきたアドレス付加された所定の記録単位の始点であり、前記光ディスクが書換え不可能な光ディスクである場合の記録再開位置は、アドレス付加された所定の記録単位内における記録の中断がおきた部分近傍の位置であることを特徴とする情報記録装置。
【請求項２】
複数種類の光ディスクに情報を記録する情報記録装置において、
前記光ディスクに情報を記録し又は前記光ディスク上の情報を再生する記録再生手段と、
前記光ディスクの種類を判別する光ディスク判別手段と、
異常による記録中断の位置を検出する記録中断位置検出手段と、
前記光ディスク判別手段の判別結果に基き記録再開位置条件を設定する記録再開位置設定手段と、
前記記録再開位置設定手段により設定された位置から記録を再開させる記録再開手段と、
を有し、
前記光ディスクは前記情報を、アドレス付加された所定の記録単位毎に記録する書換え可能な光ディスクと書換え不可能な光ディスクであり、
前記光ディスクが書換え可能な光ディスクである場合の記録再開位置は、記録の中断がおきたアドレス付加された所定の記録単位の始点であり、前記光ディスクが書換え不可能な光ディスクである場合の記録再開位置は、アドレス付加された所定の記録単位内における記録の中断がおきた部分近傍の位置であることを特徴とする情報記録装置。
【請求項３】
ＡＶ情報をアドレス付加された所定の記録単位毎に複数種類の光ディスクに記録する情報記録装置において、
前記情報記録装置の制御を行なうシステム制御部と、
前記光ディスクにＡＶ情報を記録し又は前記光ディスク上のＡＶ情報を再生する記録再生部とを有し、
前記システム制御部は、前記光ディスクの種類に応じて記録再開位置条件を設定し、前記記録再生部によるＡＶ情報の記録を異常により中断させたときには記録中断位置を検出し、前記記録中断位置を含む記録単位の前記記録再開位置条件に基く位置から前記記録再生部にＡＶ情報の記録を再開させ、
前記光ディスクが書換え可能な光ディスクである場合の記録再開位置は、記録の中断がおきたアドレス付加された所定の記録単位の始点であり、前記光ディスクが書換え不可能な光ディスクである場合の記録再開位置は、アドレス付加された所定の記録単位内における記録の中断がおきた部分近傍の位置であることを特徴とする情報記録装置。
【請求項４】
請求項１から請求項３のうちいずれか一項に記載の情報記録装置であって、
前記異常は振動、衝撃、光ディスク上のゴミ、光ディスクの欠陥、電気的ノイズ、又は制御異常であることを特徴とする情報記録装置。
【請求項５】
ＡＶ情報をアドレス付加された所定の記録単位毎に複数種類の光ディスクに記録する情報記録方法において、
前記光ディスクの種類を判別し、
前記判別結果に基き記録再開位置条件を設定し、
異常により記録を中断した場合に記録中断位置を検出し、
前記記録中断位置を含む記録単位の前記記録再開位置条件に基く位置から記録を再開させ、
前記光ディスクが書換え可能な光ディスクである場合の記録再開位置は、記録の中断がおきたアドレス付加された所定の記録単位の始点であり、前記光ディスクが書換え不可能な光ディスクである場合の記録再開位置は、アドレス付加された所定の記録単位内における記録の中断がおきた部分近傍の位置であることを特徴とする情報記録方法。
【請求項６】
請求項５に記載の情報記録方法であって、
前記異常は振動、衝撃、光ディスク上のゴミ、光ディスクの欠陥、電気的ノイズ、又は制御異常であることを特徴とする情報記録方法。
【発明の詳細な説明】
【０００１】
【発明の属する技術分野】
本発明は、複数種類の記録媒体に情報を記録する情報記録技術に係り、情報を記録する際に、記録媒体の種類に応じて適切な記録中断又は記録再開処理を行うことができる情報記録技術に関する。
【０００２】
【従来の技術】
ＣＤ−ＲＷ（Rewrite）、ＤＶＤ−ＲＡＭ（Random  Access  Memory），ＤＶＤ−ＲＷなどの書替え可能な記録媒体上に情報を記録する情報記録装置において、振動・衝撃、或いは記録媒体上のゴミや欠陥、電気的ノイズ、又は制御異常等の異常により、記録光学ヘッドからの記録情報が記録媒体上に正常に到達できず、記録媒体に対し正常な記録が行われないという記録ミスの問題がある。これらの問題を解決するために、従来は記録できない箇所をもう一度走査して記録動作を行う、いわゆるリトライ動作を行っていた。また、振動センサにより振動を予め検出し、記録動作中に振動があった場合に、記録を中断し、記録再開時には記録単位の先頭から情報を再記録する技術が特開平６−４４６２７号公報に開示されている。
【０００３】
一方、記録媒体の中には、ＤＶＤ−Ｒ（Recordable）、ＣＤ−Ｒなどの可能な書換え不可能な記録媒体に情報を記録する情報記録装置もあるが、従来の情報記録装置では、記録の開始位置が記録媒体規格で規定されたセクタや、ブロックなどの基本記録単位の始点に固定されているため、記録中にバッファアンダーランで記録が停止した場合には記録停止位置を基本記録単位で止めて、記録が可能になった時点で、記録停止となった基本記録単位の始点から記録し直していた。しかし、異常によって基本記録単位の途中で記録を停止せざるを得なくなった場合は、書換え可能な記録媒体の場合のようにリトライ動作により再記録を行うことが出来ず、使用中の記録媒体を破棄して新しい記録媒体に交換する、という操作を行わなければならなかった。また、書換え不可能な記録媒体に情報を記録する情報記録装置において、記録停止後に記録を再開する場合に記録の停止位置の直後から情報を継ぎ目無しに連続して記録する技術が特開２００１−１７６２１１号公報に開示されている。
【０００４】
ところで、最近、同一の情報記録装置で、種々の記録媒体に情報を記録する技術がある。これは、例えば細かなファイル、何度も書き換えを必要としているファイルに対しては書き換え可能な記録媒体を使い、単なるデータのバックアップが主で、書き換えを必要としない情報に対しては書換え不可能な記録媒体を使うという、ユーザのニーズから生まれた製品である。しかしながら、書換え可能な記録媒体と書換え不可能な記録媒体とでそれぞれ再記録の条件を変えているわけではなく、従来どおりに書き換え可能な記録媒体ではリトライ動作を、書換え不可能な記録媒体の場合は記録媒体交換させている。また、このような情報記録装置において異常による記録ミスを事前に防ぐための予防処置は行なわれていなかった。
【０００５】
【発明が解決しようとする課題】
上記した従来ある同一の情報記録装置で、種々の記録媒体を記録再生する技術は、例えばデータバックアップ装置のように、記録データを出来るだけ信頼性良く記録媒体上に記録する用途においては有効な手段であるが、例えばムービーなどのリアルタイムに情報を記録するリアルタイム記録では、記録している情報そのものがオリジナルソースとなるため、異常によって記録を停止せざるを得なくなった場合であっても、記録済みの情報を消去したうえで最初から記録をやり直すことや、使用中の記録媒体を破棄して新しい記録媒体に交換するといったことは許されない。よって、異常による記録ミスを事前に防ぐための予防処置をとる必要がある。
【０００６】
以上の点に鑑み、本発明の目的は、情報を複数種類の記録媒体に記録する情報記録技術において、記録媒体の種類に応じて適切な予防処理又は記録再開処置を行うことができる情報記録技術を提供することにある。
【０００７】
【課題を解決するための手段】
上記目的を達成するために、本発明の情報記録技術は、情報を複数種類の記録媒体に記録する情報記録技術であって、記録媒体の種類に応じて、記録再開条件を変え、情報の記録中に記録を中断し、記録を再開するときは前記記録再開条件に基いて記録を再開する情報記録技術とする。
【０００８】
【発明の実施の形態】
以下、本発明の実施の形態を、図面を用いて説明する。なお、本実施例では前記記録媒体が光ディスクであるものとし、記録する情報は画像情報や音声情報等のＡＶ(Audio Visual)情報であるとして説明をする。
【０００９】
図１は、本発明の一実施形態に係る情報記録装置の概略構成を示すブロック図である。
【００１０】
図１において、撮影部１は、撮影光学系２やＣＣＤ（Charge Coupled Device）３やＡ／Ｄ(Analog/Digital)変換器４などからなり、被写体像を撮影光学系２によってＣＣＤ３上に結像させ、ＣＣＤ３により画像情報を得て、これをＡ／Ｄ変換器４によってデジタル化して出力する。ＡＶ情報処理部５は、撮影部１から入力された画像情報及びマイクロフォン１４から入力された音声情報に情報圧縮等の情報処理をする回路からなるＡＶ情報処理部である。また、再生時には、ＡＶ情報処理部５は、記録再生情報処理部６から入力された画像情報を表示出力用の画像情報に変換処理するようになっており、さらに、このＡＶ情報処理部５は、記録再生情報処理部６から入力された音声情報を音声出力用の音声情報に変換処理するようになっている。ビデオカメラの場合、画像情報、音声情報は連続的にＡＶ情報処理部５で処理を行われており、画質、音質は、ＡＶ情報処理部５の情報圧縮率で決められ、その情報圧縮率を高くするほどＡＶ情報処理部５から記録再生情報処理部６に送られるデータの転送速度はあがる。
【００１１】
記録再生情報処理部６は、ＡＶ情報処理部５から入力されるＡＶ情報を、光ディスク９へ記録するための記録フォーマットに変換するため、あるいは、光ディスク９から再生された記録情報を記録フォーマットに従って元のＡＶ情報に変換処理するため、エンコード／デコード処理、変調／復調処理、ＥＣＣ（Error correction code）付加／誤り訂正処理などの処理を行うための回路である。光ディスク９への記録又は光ディスク９からの再生の転送速度は、記録再生情報処理部６の処理能力及び記録再生手段８の処理能力により決まる。メモリ７はＡＶ情報処理部５から入力されたＡＶ情報を一時記憶するメモリであり、ＡＶ情報処理部５のＡＶ情報の転送速度と光ディスク９への記録又は再生するＡＶ情報の転送速度との差を吸収するためのメモリである。
【００１２】
光学系１０はレーザ源（レーザダイオード）や光検出器や光学ヘッド等からなる。サーボ１１は光ディスク記録に必要なサーボ制御、例えば、光学系１０が有するアクチェータ（図示せず）を制御するフォーカスやトラッキング制御、ＳＮＰモータ（図示せず）を制御する光ディスクの回転制御、アドレス位置を制御するシーク制御等を行う。
【００１３】
画像表示部１５はＬＣＤ等からなる画像を表示するための手段である。記録再生処理部１１は光学系を解して情報をディスク９に記録再生させるための回路である。そして、再生時には、記録再生処理部８の制御のもと光学系１０で再生された光ディスク９上のＡＶ情報が記録再生情報処理部６でデコード等の処理が行なわれ、メモリ７に一旦蓄積された後、ＡＶ情報処理部５をへて、この画像表示部１５及びマイクロフォン１４に入力される。
【００１４】
振動センサ１６は外部振動を検出する手段であり、振動によって発生する出力をＡ／Ｄ変換し、検出結果を記録再生処理部８に出力する。なお、異常としては振動以外にも考えられるが、本実施例では異常が振動である場合について説明する。
【００１５】
システム制御部１２は、装置全体の統括制御を司る制御マイコンよりなり、上述した装置の各部の制御や、全体の統括管理を行う回路である。
【００１６】
次に、本実施形態における、光ディスクに対し正常な記録が行われない状態になったときの処理を、図２のフロー図及び図３のブロック図を用いて説明する。図３は本実施例を説明するために関係のある処理手段のみを記載したブロック図であり、図１と同様のものについては同一の符号を付している。
【００１７】
ステップＳ１において、光ディスク判別処理手段３０１は記録再生処理部８の制御のもと光学系１０により光ディスク９の反射率を読み出させ、光ディスク９が書換え可能な光ディスクか書換え不可能な光ディスクかを判別する。但し、光ディスクの判別は例えばユーザにディスクの種類を入力させる等どのような方法で行なってもよい。また、光ディスクの判別は電源投入直後に行なっても良いし、電源を投入中に光ディスクの交換を行なった場合は、電源投入中に光ディスクの判別を行なっても良い。但し、ＡＶ情報をの記録を開始する前に光ディスクの判別を行なうことが好ましい。
【００１８】
ステップＳ２において、判定レベル設定処理手段３０２は光ディスク９が書換え不可能な光ディスクであることを示す情報を光ディスク判別処理手段３０１により入力され、これに基き判定レベル設定処理手段３０２は振動レベル判定処理手段３０３の記録中断をするための振動レベル（振動レベルＡとする）を設定する。また、記録再開位置設定処理手段３０６は、光ディスク９が書換え不可能な光ディスクであることを示す情報を光ディスク判別処理手段３０１により入力され、これに基き記録再開処理手段３０８の記録再開条件を書換え不可能な光ディスクの場合の記録再開条件に設定する。ここで、主に設定されるのは、記録再開位置の条件であり、これについては後述する。
【００１９】
ステップＳ３において、光学系１０は記録再生処理部８の制御のもと光ディスク９にＡＶ情報の記録を開始する。
ステップＳ４において、振動レベル判定処理手段３０３は振動センサ１６から出力される振動レベルが振動レベルＡ以上であると判断すると、ステップＳ５において、振動レベル判定処理手段３０３は記録中断処理手段３０４に振動レベルが振動レベルＡ以上であることを示す情報を出力し、記録中断処理手段３０４はこれに基き、記録処理手段３０５に記録を中断するための情報を出力し、これにより記録処理手段３０５は光学系１０のＡＶ情報の記録を中断させる。記録中断は規格で決められた基準ブロック単位ではなく、ブロック途中でも中断する。この際に、記録中断位置検出処理手段３０７は光ディスク９上のどの位置で記録が中断したかを検出し、その位置を保持する。
【００２０】
ステップＳ６において、振動センサ１６から出力される振動レベルが振動レベルＡ以下になると、振動レベル判定処理手段３０３は振動レベルが振動レベルＡ以下であることを示す情報をシステム制御部１２に出力し、これにより、記録再開処理手段３０８は記録処理手段３０５により記録されずに残っているＡＶ情報の記録を再開させる。この際に光ディスク９は書換え不可能な光ディスクなので、記録の再開は記録中断位置の近傍から行なう。この記録再開位置を検出するために、記録再開処理手段３０８は記録中断位置検出処理手段３０７から記録中断位置を示す情報を取得する。
【００２１】
ステップＳ７において、さらに記録情報がある場合には、Ｓ３からＳ７の動作を繰り返すことによりＡＶ情報の記録を継続する。
【００２２】
次にステップＳ１において光ディスク９が書換え可能な光ディスクであると判断された場合には、ステップＳ８において、判定レベル設定処理手段３０２は光ディスク９が書換え可能な光ディスクであることを示す情報を光ディスク判別処理手段３０１により入力され、これに基き判定レベル設定処理手段３０２は振動レベル判定処理手段３０３の記録中断をするための振動レベル（レベルＢとする）を設定する。また、記録再開位置設定処理手段３０６は、光ディスク９が書換え可能な光ディスクであることを示す情報を光ディスク判別処理手段３０１により入力され、これに基き記録再開処理手段３０８の記録再開条件を書換え可能な光ディスクの場合の記録再開条件に設定する。ここで、主に設定されるのは、記録再開位置の条件であり、これについては後述する。
【００２３】
ステップＳ９において、光学系１０は記録再生処理部８の制御のもと光ディスク９にＡＶ情報の記録を開始する。
ステップＳ１０において、振動レベル判定処理手段３０３は振動センサ１６から出力される振動レベルが振動レベルＢ以上であると判断すると、ステップＳ１１において、振動レベル判定処理手段３０３は記録中断処理手段３０４に振動レベルが振動レベルＡ以上であることを示す情報を出力し、記録中断処理手段３０４はこれに基き、記録処理手段３０５に記録を中断するための情報を出力し、これにより記録処理手段３０５は光学系１０のＡＶ情報の記録を中断させる。記録中断は規格で決められた基準ブロック単位ではなく、ブロック途中でも中断する。この際に、記録中断位置検出処理手段３０７は光ディスク９上のどの位置で記録が中断したかを検出し、その位置を保持する。
【００２４】
ステップＳ１２において、振動センサ１６から出力される振動レベルが振動レベルＢ以下になると、振動レベル判定処理手段３０３は振動レベルが振動レベルＢ以下であることを示す情報をシステム制御部１２に出力し、これにより、記録再開処理手段３０８は記録処理手段３０５により記録されずに残っているＡＶ情報の記録を再開させる。この際に光ディスク９は書換え可能な光ディスクなので、記録の再開は記録中断位置のブロックの始点から行なう。この記録再開位置を検出するために、記録再開処理手段３０８は記録中断位置検出処理手段３０７から記録中断位置を示す情報を取得する。
【００２５】
ステップＳ１３において、さらに記録情報がある場合には、Ｓ９からＳ１３の動作を繰り返すことによりＡＶ情報の記録を継続する。
【００２６】
また、本実施例では記録再生処理部８が振動レベル判定処理手段３０３及び記録中断処理手段３０４を有していることを示したが、システム制御部１２が振動レベル判定処理手段３０３及び記録中断処理手段３０４を有する構成として良い。
【００２７】
次に、本発明において、振動レベルＡと振動レベルＢとを異なる値にすることにより、光ディスクの種類に応じて適した振動検出を行うことが可能となる。振動レベルＡと振動レベルＢとの値であるが、例えば二つの考え方がある。
【００２８】
まず一つの考え方は、振動レベルＡを振動レベルＢよりも高く設定することである。書き換え可能な光ディスクに記録する場合には、ＡＶ情報を一時的に保存するメモリ容量が十分であれば、頻繁にリトライが出来るため、振動レベル判定処理手段の振動レベルＢを低く設定しても、リトライすることで、記録品質の劣化を防止することができる。一方、書換え不可能な光ディスクでは記録中断そのものが、記録品質の劣化につながるため、出来るだけ記録中断を生じないように、振動レベルＡは振動レベルＢよりも高く設定する必要がある。
【００２９】
もうひとつの考え方として,振動レベルＡを振動レベルＢよりも低く設定することもある。書き換え可能な光ディスクは、記録ミスしたところを正しく記録し直す、いわゆるリトライが可能である。従って、本来的に書換え不可能な光ディスクと比較して記録中断に対する記録品質の劣化が少ない。よって、ＡＶ情報処理部５の情報圧縮率を低く抑え、ＡＶ情報の品質を高く出来る、このため,単位時間当たりに転送されるＡＶ情報の情報量を多くし, 結果的にＡＶ情報処理部５の情報転送速度を上げる要求が生じる。これに伴い、記録再生処理部８や記録再生情報処理部６の処理速度を上げ、光ディスク９への情報の記録速度を上げることができればよいが、光ディスク９への記録速度が上げられない場合には、ＡＶ情報処理部５のＡＶ情報の転送速度と光ディスク９への記録又は再生するためのＡＶ情報の転送速度との差が小さくなり、メモリ７に十分なメモリ容量を確保できなくなる場合もある。この場合は、振動レベル判定処理手段の振動レベルを高く設定し、何度もリトライを繰り返さずに記録させることも考えられる。一方、書換え不可能な光ディスクの場合は、記録は一度のみのためリトライが出来ず、記録は慎重にする必要がある。従って、ＡＶ情報処理部５の情報圧縮率を高くし、 結果的にＡＶ情報処理部５の情報転送速度は下がる。この場合、ＡＶ情報処理部５のＡＶ情報の転送速度と光ディスク９への記録又は再生するＡＶ情報の転送速度との差は大きくなり、メモリ７に十分なメモリ容量を確保することができる。よって、振動レベルＡを振動レベルＢよりも低くすることも考えられる。
【００３０】
また、振動レベルＡと振動レベルＢの値は上述したこと以外を考慮して値を異ならせても良い。また、振動レベルＡと振動レベルＢが同一になる場合もある。本実施例では光ディスクの種類を判別し、その判別結果に基き、振動レベルＡ又は振動レベルＢを設定し、記録再開条件を設定する構成を説明したが、予め振動レベルＡ（又は振動レベルＢ）に設定をしておき、書換え可能なディスク（又は書換え不可能なディスク）に交換された場合に、振動レベルＡを振動レベルＢ（又は振動レベルＢを振動レベルＡ）に切り替える構成としてもよい。
【００３１】
次に、図４を用いて、各種光ディスクで途中記録中断した後の記録再開動作を模式的に説明する。図４の（１）は書き換え可能な光ディスクで途中記録中断した後の記録再開動作である。（ａ）において、基準ブロック単位は、たとえば光ディスク規格で決められたECCを付加したブロック単位で、基本的にはこの単位でアドレス付加される単位である。図４ではアドレスＡ、Ｂの情報を記録した後、アドレスＣの情報の途中で外部振動により記録が中断した場合を示している。（ｂ）において、記録を中断した後、記録を再開動作は、記録中断が生じたアドレスＣのブロック先頭に戻り、先頭からアドレスＣの情報を重ね書き記録し、引き続きアドレスＤ以降の情報を順次記録する。図４の（２）は書換え不可能な光ディスクで途中記録中断した後の記録再開動作である。（ｃ）において、基準ブロック単位は、たとえば光ディスク規格で決められたECCを付加したブロック単位で、基本的にはこの単位でアドレス付加される単位である。図４ではアドレスＡ、Ｂの情報を記録した後、アドレスＣの情報の途中で異常検出で記録が中断した場合を示している。（ｄ）において、記録を中断した後、記録を再開する動作は、記録停止が生じたアドレスＣのブロック途中から、記録できなかった残りの情報を引き続き記録し、その後アドレスＤ以降の情報を順次記録する。
【００３２】
以上の様な構成にすることにより、光ディスクの種類に応じて適切な予防処置を取ることができる。なお、本実施例では、記録媒体が光ディスクであるとして、説明を行なったが、振動対策を必要とする記録媒体であれば、本発明を適用することができる。また、本実施例では記録される情報がＡＶ情報であるとして説明を行なったが、ＡＶ情報以外の情報にも本発明を適用することができる。また、本実施例では、撮影部を有する装置について説明したが、撮影装置を有しない据え置き装置等にも本発明を適用する事ができる。
【００３３】
【発明の効果】
以上説明したように、本発明は、情報を複数種類の記録媒体に記録する情報記録技術において、記録媒体の種類に応じて適切な記録再開処置を行うことができる情報記録技術を提供することができる。
【図面の簡単な説明】
【図１】本発明の１実施例を示す図で、光ディスク装置システム構成を示す図である。
【図２】本発明の１実施例のシステムフローを示す図である。
【図３】本発明の１実施例を示す図であり、図２のシステムフロー図と関係ある手段を表した図。
【図４】本発明の１実施例の光ディスクに記録する状態を示す模式図である。
【符号の説明】
１・・撮影部      ２・・撮影光学系    ３・・撮像素子部   ４・・Ａ／Ｄ変換器
５・・ＡＶ情報処理部      ６・・記録再生情報処理部      ７・・メモリ
８・・記録再生処理部        ９・・光ディスク    １０・・光学系
１１・・サーボ  １２・・システム制御部    １３・・表示手段
１４・・マイクロホン    １５・・画像表示部  １６・・振動センサ
【図１】
0003915503.tif 000002
【図２】
0003915503.tif 000003
【図３】
0003915503.tif 000004
【図４】
0003915503.tif 000005